(57)【要約】【課題】  買物客に不快感を与えることなくカードの抜き忘れを防止することが可能な暗証番号入力装置およびその制御プログラムを提供すること。【解決手段】  カードのデータを読取るカードリーダ部と、暗証番号を入力する入力部と、カードから読取られたデータ及び入力された暗証番号を用いて情報処理を実行する情報処理装置と通信する通信手段を備えた暗証番号入力装置において、各種情報を表示する表示器と、カードリーダ部に装着されたカードを検知する検知手段と、前記情報処理装置からの通知を受信したことに応じて待ち時間の計時を開始する計時手段と、この計時手段が計時を開始すると表示器にメッセージを表示する表示手段と、計時手段が待ち時間を計時し終えた際に検知手段によりカードが検知される場合、カードリーダ部にカードが装着中である旨の警告音を発する警告手段とを備えている。【選択図】  図４
2011154716.tif 000002
【特許請求の範囲】
【請求項１】
着脱自在に装着されるカードのデータを読み取るカードリーダ部と、暗証番号を入力する入力部と、前記カードリーダ部により読み取られたデータおよび前記入力部により入力された暗証番号を用いて所定の情報処理を実行する情報処理装置との通信を行う通信手段とを備えた暗証番号入力装置において、
各種情報を表示するための表示器と、
前記カードリーダ部に装着されたカードを検知する検知手段と、
前記通信手段を介して前記情報処理装置からの通知を受信したことに応じて所定の待ち時間の計時を開始する計時手段と、
この計時手段が計時を開始すると前記表示器にメッセージを表示する表示手段と、
前記計時手段が前記待ち時間を計時し終えた際に前記検知手段によりカードが検知される場合、前記カードリーダ部にカードが装着中である旨の警告音を発する警告手段と、
を備えていることを特徴とする暗証番号入力装置。
【請求項２】
前記表示手段は、前記計時手段が前記待ち時間を計時し終えた際に前記検知手段によりカードが検知されない場合、前記表示器へのメッセージの表示を停止することを特徴とする請求項１に記載の暗証番号入力装置。
【請求項３】
前記待ち時間を記憶する記憶手段を備え、前記計時手段は、この記憶手段に記憶された待ち時間を計時し、
前記通信手段が前記情報処理装置から前記待ち時間の設定に関する要求を受信したとき、前記記憶手段に記憶された待ち時間をクリアするクリア手段と、
このクリア手段により前記記憶手段に記憶された待ち時間がクリアされた後、前記通信手段が前記情報処理装置から待ち時間を示す情報を受信したとき、当該待ち時間を前記記憶手段に記憶する記憶制御手段と、
をさらに備えていることを特徴とする請求項１又は２に記載の暗証番号入力装置。
【請求項４】
前記記憶制御手段は、前記クリア手段により前記記憶手段に記憶された待ち時間がクリアされた後、前記通信手段が前記情報処理装置から前記設定の取消の通知を受信したとき、予め定められた待ち時間を前記記憶手段に記憶することを特徴とする請求項３に記載の暗証番号入力装置。
【請求項５】
前記表示手段は、前記計時手段が計時を開始すると前記表示器にメッセージを表示するとともに、前記表示器のバックライトを点滅させることを特徴とする請求項１乃至４のうちいずれか１に記載の暗証番号入力装置。
【請求項６】
着脱自在に装着されるカードのデータを読み取るカードリーダ部と、このカードリーダ部に装着されたカードを検知する検知手段と、暗証番号を入力する入力部と、前記カードリーダ部により読み取られたデータおよび前記入力部により入力された暗証番号を用いて所定の情報処理を実行する情報処理装置との通信を行う通信手段とを備えた暗証番号入力装置の制御プログラムであって、
前記暗証番号入力装置に、
前記通信手段を介して前記情報処理装置からの通知を受信したことに応じて所定の待ち時間の計時を開始する計時機能と、
この計時機能が計時を開始すると所定の表示器にメッセージを表示させる表示機能と、
前記計時機能により前記待ち時間を計時し終えた際に前記検知手段によりカードが検知される場合、前記カードリーダ部にカードが装着中である旨の警告音を発生させる警告機能と、
を実現するための制御プログラム。
【発明の詳細な説明】
【技術分野】
【０００１】
本発明は、ＩＣカードを挿脱可能なカードリーダとＩＣカードの暗証番号の入力手段とを備えた暗証番号入力装置およびその制御プログラムに関する。
【背景技術】
【０００２】
近年、ＩＣカードの普及に伴いその利用機会が増えている。例えば商店においては、クレジットカードを用いたクレジット決済が利用可能である。クレジット決済は、クレジット処理装置と該装置に通信接続された暗証番号入力装置とを用いて行われる。
【０００３】
暗証番号入力装置は、カードリーダと、暗証番号の入力手段とを備え、前記カードリーダに装着されたクレジットカードから読み取ったカード情報と買物客が前記入力手段により入力した暗証番号とをクレジット処理装置に送信する。クレジット処理装置は、受信したカード情報および暗証番号と、入力された買い上げ商品の商品情報とに基づいてクレジット決済処理を実行する。暗証番号入力装置には、カード抜き忘れ防止機能を備えたものも存在する。（例えば、特許文献１を参照）
【先行技術文献】
【特許文献】
【０００４】
【特許文献１】実開平４−９８７７６号公報
【発明の概要】
【発明が解決しようとする課題】
【０００５】
暗証番号入力装置のカード抜き忘れ防止機能は、所定のメッセージを表示器に表示したり、ブザーを鳴らしたりして買物客にクレジットカードの抜き忘れを警告することで実現されていた。
【０００６】
しかしながら、上記警告は、決済処理の完了後即座に行われていたため、カードの抜き取りを忘れずに意識していた買物客等には不快感を与える蓋然性があった。
【０００７】
本発明は、上記のような事情に基づいてなされたものであり、その目的は、買物客に不快感を与えることなくカードの抜き忘れを防止することが可能な暗証番号入力装置およびその制御プログラムを提供することである。
【課題を解決するための手段】
【０００８】
本発明は、着脱自在に装着されるカードのデータを読み取るカードリーダ部と、暗証番号を入力する入力部と、前記カードリーダ部により読み取られたデータおよび前記入力部により入力された暗証番号を用いて所定の情報処理を実行する情報処理装置との通信を行う通信手段とを備えた暗証番号入力装置において、各種情報を表示するための表示器と、前記カードリーダ部に装着されたカードを検知する検知手段と、前記通信手段を介して前記情報処理装置からの通知を受信したことに応じて所定の待ち時間の計時を開始する計時手段と、この計時手段が計時を開始すると前記表示器にメッセージを表示する表示手段と、前記計時手段が前記待ち時間を計時し終えた際に前記検知手段によりカードが検知される場合、前記カードリーダ部にカードが装着中である旨の警告音を発する警告手段と、を備えていることを特徴としている。
【発明の効果】
【０００９】
かかる手段を講じた本発明によれば、買物客に不快感を与えることなくカードの抜き忘れを防止することが可能な暗証番号入力装置およびその制御プログラムを提供することができる。
【図面の簡単な説明】
【００１０】
【図１】本発明の一実施形態におけるピンパッド等の外観斜視図。
【図２】同実施形態におけるクレジット処理装置の内部構成を示すブロック図。
【図３】同実施形態におけるピンパッドの内部構成を示すブロック図。
【図４】同実施形態におけるカード決済処理の流れ図。
【図５】同実施形態においてクレジット処理装置が実行する設定処理の流れ図。
【図６】同実施形態においてピンパッドが実行する設定処理の流れ図。
【発明を実施するための形態】
【００１１】
以下、本発明の一実施形態について、図面を参照しながら説明する。なお、本実施形態では、本発明に係る暗証番号入力装置を情報処理装置であるクレジット処理装置に接続されるピンパッドに適用する場合について述べる。
【００１２】
図１は、クレジット処理装置１およびピンパッド２の外観斜視図である。また、図２はクレジット処理装置１の内部構成を示すブロック図であり、図３はピンパッド２の内部構成を示すブロック図である。
【００１３】
図１に示すように、クレジット処理装置１とピンパッド２とは通信手段としてのインターフェイスケーブル３で接続されている。  
クレジット処理装置１は、入出力デバイスとしてクレジット処理に必要な各種キーを配設したキーボード１１、キー入力データなどを表示する表示器１２、クレジット伝票を印字発行するプリンタ１３などを備えている。そして、図２に示すように、これらの入出力デバイスを含むクレジット処理装置１全般の動作を制御し、各種処理を実行する制御部本体として、ＣＰＵ（Central Processing Unit）３０を搭載している。
【００１４】
また、上記ＣＰＵ３０の制御プログラムなどを格納したＲＯＭ（Read Only Memory）３１、処理内容に応じて作業用メモリエリアを形成するＲＡＭ（Random Access Memory）３２、前記インターフェイスケーブル３を介してピンパッド２との間で行うデータ通信を制御する通信手段である通信インターフェイス（Ｉ／Ｆ）３３、前記キーボード１１から入力キーのキー信号を取込むキーボードコントローラ３４、前記表示器１２のデータ表示を制御する表示コントローラ３５、前記プリンタ１３による印字動作を制御するプリンタコントローラ３６、オンライン接続されたクレジット会社のホストコンピュータとのデータ伝送を制御する伝送コントローラ３７などを搭載している。そして、前記ＣＰＵ３０と、ＲＯＭ３１，ＲＡＭ３２，通信インターフェイス３３および各コントローラ３４〜３７とを、アドレスバス，データバスなどのバスライン３８で接続して、クレジット処理装置１の制御回路を構成している。
【００１５】
ピンパッド２は、暗証番号を置数入力する入力部としてのキーボード２１、キー入力データ等を表示する表示部としての表示器２２、ＩＣカードからなるクレジットカードＣのデータを読取るカードリーダ部としてのカードリーダ２３等の入出力デバイスを備えている。また、カードリーダ２３にクレジットカードＣが装着されているか否かを検知する検知手段であるカードセンサ２４を設けている。そして、図３に示すように、これらの入出力デバイスを含むピンパッド全般の動作を制御する制御部本体として、ＣＰＵ４０を搭載している。
【００１６】
上記ＣＰＵ４０の制御プログラムなどを格納したＲＯＭ４１、処理内容に応じて本実施形態における記憶部である待ち時間設定エリア４２ａ（詳しくは図４，５の説明にて後述する）等の作業用メモリエリアを形成するＲＡＭ４２、ＣＰＵ４０からの指令に応じて所定時間を計時するタイマ４３、前記インターフェイスケーブル３を介してクレジット処理装置１との間で行うデータ通信を制御する通信インターフェイス４４、前記キーボード２１から入力キーのキー信号を取込むキーボードコントローラ４５、前記表示器２２のデータ表示を制御する表示コントローラ４６、前記カードリーダ２３により読取られたカードデータを取込むカードリーダコントローラ４７、表示器２２のバックライト６０と所定の警報音を発するブザー６１とを制御する警報コントローラ４８、前記カードセンサ２４からの信号を入力する入力ポート４９などを搭載している。そして、前記ＣＰＵ４０と、ＲＯＭ４１，ＲＡＭ４２，タイマ４３、通信インターフェイス４４、各コントローラ４５〜４８および入力ポート４９とを、アドレスバス，データバスなどのバスライン５０で接続して、ピンパッド２の制御回路を構成している。
【００１７】
かかる構成のクレジット処理装置１およびピンパッド２は、例えば商店の会計場所に設置される。そして商店の会計担当者は、買物客から買上商品の代金をクレジットカードＣ
で支払う旨の申し出を受けると、その買上商品のデータをクレジット処理装置１のキーボード１１を操作して登録処理するとともにピンパッド２を買物客に渡して、買物客自身によりクレジットカードＣのカード情報と暗証番号を入力してもらう。すなわち買物客は、会計担当者からピンパッド２を受け取ると、先ず、自身のクレジットカードＣをカードリーダ２３に装着してカード情報を読取らせる。次に、キーボード２１を操作してクレジットカードＣの暗証番号を入力する。
【００１８】
一方、会計担当者は、買上商品のデータをクレジット処理装置１に登録処理した後、キーボード１１に設けられたクレジット宣言キーを押下してクレジット処理の実行を宣言する。これにより、クレジット処理装置１のＣＰＵ３０およびピンパッド２のＣＰＵ４０は、図４の流れ図に示す処理を実行するようにプログラム構成されている。以下、図４の流れ図を用いて本実施形態におけるクレジット処理装置１およびピンパッド２の動作について説明する。
【００１９】
先ず、クレジット処理装置１のＣＰＵ３０は、通信インターフェイス３３を介してカード読取要求をピンパッド２に送信する（ＳＴ１０１）。
【００２０】
このカード読取要求を受信したことに応じ、ピンパッド２はクレジットカードＣの読み取りを受け付ける状態に移行する。その間、ＣＰＵ４０は、カードリーダ２３によるクレジットカードＣの読み取りを待機する（ＳＴ１０２）。買物客がクレジットカードＣをカードリーダ２３の挿入口に挿入したとき、カードセンサ２４によりクレジットカードＣの装着が検知される。これに応じてカードリーダ２３は、クレジットカードＣからカード情報を読み取り、ＲＡＭ４２に一時的に記憶する。このとき、ＣＰＵ４０は、クレジットカードＣが読み取られたと判断し（ＳＴ１０２のＹｅｓ）、通信インターフェイス４４を介してＲＡＭ４２に記憶したカード情報をクレジット処理装置１に送信する（ＳＴ１０３）。
【００２１】
このカード情報を受信したことに応じ、クレジット処理装置１は、当該クレジットカードＣが決済に使用可能であるか否かを認証する（ＳＴ１０５，ＳＴ１０６）。当該認証は、カード情報に含まれるカード種別に関する情報と、ＲＯＭ３１に記憶された当該商店と決済契約を締結しているカード会社のカード種別に関する情報とが一致するか否かを判断することで行われる。認証の結果、当該クレジットカードＣが使用可能であると判断したときには（ＳＴ１０５のＹｅｓ）、通信インターフェイス３３を介して暗証番号要求をピンパッド２に送信する（ＳＴ１０６）。
【００２２】
この暗証番号要求を受信したことに応じ、ピンパッド２のＣＰＵ４０は、表示コントローラ４６を介して表示器２２に暗証番号の入力を促すメッセージを表示する（ＳＴ１０７）。このときピンパッド２は、キーボード２１からの暗証番号の入力を受け付ける状態に移行し、暗証番号の入力完了を待つ（ＳＴ１０８）。買物客が暗証番号を入力すべくキーボード２１に配置された置数キーを操作すると、操作された置数キーに応じた数値が操作された順番を特定可能な態様でＲＡＭ４２に一時的に記憶される。そして、同じくキーボード２１に配置された確定キーが操作されると、暗証番号の入力が完了したと判断し（ＳＴ１０８のＹｅｓ）、通信インターフェイス４４を介してＲＡＭ４２に記憶された数値から特定される暗証番号をクレジット処理装置１に送信する（ＳＴ１０９）。
【００２３】
この暗証番号を受信したことに応じ、クレジット処理装置１のＣＰＵ３０は、暗証番号が正当であるか否かを認証する（ＳＴ１１０，ＳＴ１１１）。具体的には、伝送コントローラ３７を介して当該クレジットカードＣのカード会社のサーバにカード情報と当該暗証番号とを送信して認証を依頼する。その結果、暗証番号が正当であるとの応答を得た場合には（ＳＴ１１１のＹｅｓ）、伝送コントローラ３７を介して当該買物客の買い上げ商品に関する商品データや決済金額等からなる決済データを当該カード会社のサーバに送信し、決済を依頼する。そして、当該サーバからの決済完了を示す通知の受け取りを条件として、プリンタコントローラ３６を介してプリンタ１３を制御し、当該決済に関する情報を印字してなるクレジット伝票を発行する（ＳＴ１１３）。しかる後、通信インターフェイス３３を介してクレジット決済が完了したことを示す決済完了通知をピンパッド２に送信する（ＳＴ１１４）。
【００２４】
この決済完了通知を受信したことに応じ、ピンパッド２のＣＰＵ４０は、表示コントローラ４６を介してクレジットカードＣの抜き取りを促すメッセージを表示器２２に表示するとともに、警報コントローラ４８を介してバックライト６０を点滅させる（ＳＴ１１５）。なお、この処理は、本実施形態における第２の警告手段を構成する。
【００２５】
さらに、メッセージの表示およびバックライト６０の点滅を開始したことに応じてタイマ４３を作動させ、ＲＡＭ４２に形成された待ち時間設定エリア４２ａに設定された待ち時間の計時を開始する（ＳＴ１１６）。なお、この処理は、本実施形態における計時手段を構成する。
【００２６】
タイマ４３を作動させた後、ＣＰＵ４０は、入力ポート４９を介して入力されるカードセンサ２４の出力に基づいてクレジットカードＣがカードリーダ２３に装着されているか否かを判断する（ＳＴ１１７）。装着されていると判断した場合には（ＳＴ１１７のＹｅｓ）、タイマ４３による待ち時間の計時が完了したか否かを判断する（ＳＴ１１８）。待ち時間の計時が完了していないと判断した場合には（ＳＴ１１８のＮｏ）、再びクレジットカードＣがカードリーダ２３に装着されているか否かを判断する（ＳＴ１１７）。すなわち、ピンパッド２は、クレジットカードＣがカードリーダ２３から取り除かれるか、タイマ４３による待ち時間の計時が完了するまで待機する状態となる。
【００２７】
かかる状態でタイマ４３による待ち時間の計時が完了した場合（ＳＴ１１８のＹｅｓ）、ＣＰＵ４０は、警報コントローラ４８を介してブザー６１を鳴動させる（ＳＴ１１９）。すなわち、タイマ４３が待ち時間を計時し終えた際にカードセンサ２４によりクレジットカードＣが検知される場合、カードリーダ２３にカードが装着中である旨を警告する。この処理は、本実施形態における警告手段を構成する。
【００２８】
一方、クレジットカードＣがカードリーダ２３から取り除かれた場合（ＳＴ１１７のＮｏ）、ＣＰＵ４０は、警報処理を停止する（ＳＴ１２０）。具体的には、ブザー６１の鳴動前であればバックライト６０の点滅および表示器２２へのメッセージ表示を停止し、ブザー６１の鳴動後であればバックライト６０の点滅、表示器２２へのメッセージ表示およびブザー６１の鳴動を停止する。しかる後、当該処理を終了する。
【００２９】
なお、クレジット処理装置１がカード認証に失敗した場合（ＳＴ１０５のＮｏ）、あるいは暗証番号認証に失敗した場合には（ＳＴ１１１のＮｏ）、クレジット処理装置１のＣＰＵ３０は、表示器１２に所定のエラーメッセージを表示する等して当該クレジットカードＣは使用できない旨あるいは暗証番号が間違っている旨を警告し（ＳＴ１２１）、処理を終了する。
【００３０】
このように、ピンパッド２は、決済の完了通知を受信した後、待ち時間が経過するまではバックライト６０の点滅および表示器２２へのメッセージ表示によってクレジットカードＣの抜き取りを買物客に促し、待ち時間が経過してもクレジットカードＣが抜き取られない場合にブザー６１による警告を行う。
【００３１】
さて、上記待ち時間は、操作者が所望する時間に設定変更することができる。以下、上記タイマ４３に計時させる待ち時間の設定処理について説明する。  
クレジット処理装置１のキーボード１１に設けられた所定キーを操作すると、クレジット処理装置１およびピンパッド２の各種機能に関する設定処理が開始される。これにより、クレジット処理装置１のＣＰＵ３０は、図５に示す処理を実行するようにプログラム構成されている。図５の流れ図を用いて当該設定処理におけるクレジット処理装置１の動作について説明する。
【００３２】
当該設定処理の開始の後、先ずＣＰＵ３０は、表示コントローラ３５を介して表示器１２に設定すべき機能を選択するための処理選択画面を表示し（ＳＴ２０１）、キーボード１１のキー入力を受け付ける（ＳＴ２０２）。キーボード１１に配設されたいずれかの操作キーが操作された場合には（ＳＴ２０２のＹｅｓ）、当該キー操作により保守メニューが選択されたか否かを判断する（ＳＴ２０３）。
【００３３】
保守メニューが選択された場合には、表示コントローラ３５を介して表示器１２に保守メニューの選択画面を表示し（ＳＴ２０４）、再びキーボード１１のキー入力を受け付ける（ＳＴ２０５）。キーボード１１に配設されたいずれかの操作キーが操作された場合には（ＳＴ２０２のＹｅｓ）、当該キー入力によりタイマ４３の待ち時間の設定が選択されたか否かを判断する（ＳＴ２０６）。待ち時間の設定が選択されていない場合には（ＳＴ２０６のＮｏ）、キーボード１１のキー入力に応じて選択された設定に関する処理を実行する（ＳＴ２０７）。
【００３４】
一方、タイマ４３の待ち時間の設定が選択された場合（ＳＴ２０６のＹｅｓ）、ＣＰＵ３０は、表示コントローラ３５を介して表示器１２に待ち時間の設定画面を表示するとともに（ＳＴ２０８）、通信インターフェイス３３を介して待ち時間の設定モードへの移行要求をピンパッド２に送信する（ＳＴ２０８）。
【００３５】
上記待ち時間の設定画面には、タイマ４３の待ち時間を１秒，２秒，５秒，１０秒のいずれかから選択するための選択エリアが表示される。当該画面を表示した状態において、ＣＰＵ３０は、キーボード１１に配設された取消キーが操作されたか否かを判断する（ＳＴ２１０）。上記取消キーが操作されている場合には（ＳＴ２１０のＹｅｓ）、通信インターフェイス３３を介してピンパッド２にタイマ４３の待ち時間の設定処理の取消通知を送信する（ＳＴ２１１）。
【００３６】
一方、上記取消キーが操作されていない場合（ＳＴ２１０のＮｏ）、ＣＰＵ３０は、キーボード１１に配設された実行キーが操作されたか否かを判断する（ＳＴ２１２）。上記実行キーが操作されたと判断した場合には、現在待ち時間の設定画面にて選択された待ち時間が１秒であるか否かを判断する（ＳＴ２１３）。選択されている待ち時間が１秒である場合には（ＳＴ２１３のＹｅｓ）、通信インターフェイス３３を介してピンパッド２に待ち時間を１秒として指定した設定情報を送信する（ＳＴ２１４）。
【００３７】
一方、上記実行キーが操作された際に選択されている待ち時間が１秒でない場合（ＳＴ２１３のＮｏ）、ＣＰＵ３０は、選択されている待ち時間が２秒であるか否かを判断する（ＳＴ２１５）。選択されている待ち時間が２秒である場合には（ＳＴ２１５のＹｅｓ）、通信インターフェイス３３を介してピンパッド２に待ち時間を２秒として指定した設定情報を送信する（ＳＴ２１６）。
【００３８】
一方、上記実行キーが操作された際に選択されている待ち時間が２秒でない場合（ＳＴ２１５のＮｏ）、ＣＰＵ３０は、選択されている待ち時間が５秒であるか否かを判断する（ＳＴ２１７）。選択されている待ち時間が５秒である場合には（ＳＴ２１７のＹｅｓ）、通信インターフェイス３３を介してピンパッド２に待ち時間を５秒として指定した設定情報を送信する（ＳＴ２１８）。
【００３９】
一方、上記実行キーが操作された際に選択されている待ち時間が５秒でない場合（ＳＴ２１７のＮｏ）、ＣＰＵ３０は、選択されている待ち時間が１０秒であるか否かを判断する（ＳＴ２１９）。選択されている待ち時間が１０秒である場合には（ＳＴ２１９のＹｅｓ）、通信インターフェイス３３を介してピンパッド２に待ち時間を１０秒として指定した設定情報を送信する（ＳＴ２２０）。
【００４０】
なお、上記実行キーが操作された際に選択されている待ち時間が１０秒でない場合（ＳＴ２１９のＮｏ）、いずれの待ち時間も選択されていないため、表示器１２にメッセージを表示するなどして操作者に待ち時間の選択を促し、再び待ち時間の選択を受け付けるとともに上記取消キーおよび上記実行キーの操作を待つ（ＳＴ２１０，ＳＴ２１２）。
【００４１】
また、上記取消通知あるいは設定情報をピンパッド２に送信した後には、再び処理選択画面を表示して次の操作を待つ（ＳＴ２０１，ＳＴ２０２）。
【００４２】
以上説明したような設定処理にてクレジット処理装置１が送信したタイマ４３の待ち時間の設定モードへの移行要求を受信したピンパッド２のＣＰＵ４０は、図６に示す処理を実行するようにプログラム構成されている。以下、図６の流れ図を用いて上記移行要求を受信した際のピンパッド２の動作について説明する。
【００４３】
先ず、ピンパッド２のＣＰＵ４０は、ＲＡＭ４２に形成された待ち時間設定エリア４２ａをクリアする（ＳＴ３０１）。しかる後、クレジット処理装置１から設定情報を受信したか否かを判断する（ＳＴ３０２）。
【００４４】
クレジット処理装置１が送信する設定情報（ＳＴ２１４，ＳＴ２１６，ＳＴ２１８あるいはＳＴ２２０）を、通信インターフェイス４４を介して受信している場合（ＳＴ３０２のＹｅｓ）、ＣＰＵ４０は、受信した設定情報にて指定された待ち時間を待ち時間設定エリア４２ａに記憶する（ＳＴ３０３）。
【００４５】
一方、クレジット処理装置１から設定情報を受信していない場合（ＳＴ３０２のＮｏ）、ＣＰＵ４０は、クレジット処理装置１から取消通知を受信したか否かを判断する（ＳＴ３０４）。クレジット処理装置１が送信する取消通知（ＳＴ２１１）を受信している場合には（ＳＴ３０４のＹｅｓ）、ＲＯＭ４１に記憶されたタイマ４３の待ち時間のデフォルト値（例えば５秒）を待ち時間設定エリア４２ａに記憶する（ＳＴ３０５）。
【００４６】
このように、タイマ設定処理においては、クレジット処理装置１からの設定情報あるいは取消通知の受信を待ち、いずれかを受信して待ち時間設定エリア４２ａに待ち時間を設定した後に処理を終了する。かくして待ち時間設定エリア４２ａに操作者の所望するタイマ４３の待ち時間が設定された後のクレジット処理では、当該待ち時間が使用される。
【００４７】
以上説明したように、本実施形態における暗証番号入力装置であるピンパッド２は、クレジットカードＣによる決済が完了した後、待ち時間が経過するまではブザー６１によるカード抜き忘れ防止のための警告を行わない。したがって、クレジットカードＣの抜き取りを意識している買物客に対してブザー６１が出力する警告音により不快感を与えることはない。
【００４８】
また、クレジットカードＣによる決済が完了した後、前記ブザー６１を鳴動させる以前に表示器２２へのメッセージ表示およびバックライト６０の点滅によりカード抜き忘れ防止のための警告を行う。したがって、ブザー６１による警告音の出力を行わずとも買物客にクレジットカードＣの抜脱を意識させることができる。
【００４９】
また、タイマ４３の待ち時間は、図６を用いて説明した設定処理にて所望の時間に設定変更可能である。これにより、ピンパッド２の使用状況に応じた好適な待ち時間の設定を実現することができる。
【００５０】
なお、この発明は前記実施形態そのままに限定されるものではなく、実施段階においてはその要旨を逸脱しない範囲内にて各構成要素を適宜変形して具体化することができる。
【００５１】
例えば、上記実施形態においては、本発明に係る暗証番号入力装置をカード決済装置に接続されたピンパッドに適用した場合について説明したが、他の情報処理装置に接続される暗証番号処理装置に適用してもよいことは言うまでもない。
【００５２】
また、決済処理の完了直後においてはバックライト６０を点滅させて警告を行うとしたが、バックライト６０の点灯色を変更するなど他の警告方法を採用してもよい。
【００５３】
また、タイマ４３による待ち時間の設定処理では、表示器１２に表示された設定画面から１秒，２秒，５秒，１０秒のいずれかを選択することで設定すべき待ち時間を指定するとしたが、待ち時間の指定方法はこれに限定されない。その他、表示器１２に表示された設定画面から待ち時間を１秒ごとに選択可能とし、選択された待ち時間を設定すべき待ち時間として指定するようにしてもよいし、キーボード１１に配設された置数キーの操作により直接数値を入力して待ち時間を指定するようにしてもよい。
【００５４】
また、待ち時間の設定は、クレジット処理装置１の操作により行うのではなく、ピンパッド２のキーボード２１のキー操作により行うようにしてもよい。かかる場合、例えば、ピンパッド２のキーボード２１に待ち時間の設定処理を宣言する操作キーを設け、このキーが操作されたことに応じて待ち時間の設定処理を開始してキーボード２１の置数キーの操作による待ち時間の指定を受け付ける。そして、指定された待ち時間にて時間設定エリア４２ａを更新する。このような設定方法にしても、上記実施形態と同様に操作者が所望の待ち時間を設定可能となる。
【００５５】
この他、前記実施形態に開示されている複数の構成要素の適宜な組合せにより種々の発明を形成できる。
【００５６】
本願の出願当初の特許請求の範囲に記載された各発明を、以下に付記する。
【００５７】
［１］着脱自在に装着されるカードのデータを読み取るカードリーダ部と、暗証番号を入力する入力部と、前記カードリーダ部により読み取られたデータおよび前記入力部により入力された暗証番号を用いて所定の情報処理を実行する情報処理装置との通信を行う通信手段とを備えた暗証番号入力装置において、前記カードリーダ部に装着されたカードを検知する検知手段と、前記通信手段を介して前記情報処理装置からの通知を受信したことに応じて所定の待ち時間の計時を開始する計時手段と、この計時手段が前記待ち時間を計時し終えた際に前記検知手段によりカードが検知される場合、前記カードリーダ部にカードが装着中である旨の警告を発する警告手段と、を備えていることを特徴とする暗証番号入力装置。
【００５８】
［２］前記警告手段は、警告音を発してカードが装着中である旨を警告することを特徴とする上記［１］に記載の暗証番号入力装置。
【００５９】
［３］各種情報を表示する表示手段と、前記情報処理装置から前記通知を受信したことに応じて前記計時手段が計時を開始した後前記待ち時間を計時し終える前に前記表示手段への表示出力により前記カードリーダ部にカードが装着中である旨を警告する第２の警告手段と、をさらに備えていることを特徴とする上記［２］に記載の暗証番号入力装置。
【００６０】
［４］所定の待ち時間を記憶した記憶部と、着脱自在に装着されるカードのデータを読み取るカードリーダ部と、暗証番号を入力する入力部と、前記カードリーダ部により読み取られたデータおよび前記入力部により入力された暗証番号を用いて所定の情報処理を実行する情報処理装置との通信を行う通信手段と、前記カードリーダ部に装着されたカードを検知する検知手段と、前記通信手段を介して前記情報処理装置からの通知を受信したことに応じて前記記憶部に記憶された待ち時間の計時を開始する計時手段と、この計時手段が前記待ち時間を計時し終えた際に前記検知手段によりカードが検知される場合、前記カードリーダ部にカードが装着中である旨の警告を発する警告手段とを備えた暗証番号入力装置における前記待ち時間の設定方法であって、待ち時間として設定すべき時間の指定を受け付けるステップと、指定を受け付けた時間にて前記記憶部に記憶された待ち時間を更新するステップと、を備えていることを特徴とする待ち時間設定方法。
【符号の説明】
【００６１】
１…クレジット処理装置、２…ピンパッド、２１…キーボード、２２…表示器、２３…カードリーダ、２４…カードセンサ、４０…ＣＰＵ、４３…タイマ、４４…通信インターフェイス、６０…バックライト、６１…ブザー
【図１】
2011154716.tif 000003
【図２】
2011154716.tif 000004
【図３】
2011154716.tif 000005
【図４】
2011154716.tif 000006
【図５】
2011154716.tif 000007
【図６】
2011154716.tif 000008